(57)【要約】      （修正有）【課題】三次元画像を生成する為のモノリシック・ワイヤグリッド偏光子を有する発光ダイオードディスプレイを提供する。【解決手段】発光ダイオード（ＬＥＤ）ディスプレイは、グリッドパターンの第１の組のＬＥＤ１１１、及び第１の組のＬＥＤと交互になった第２の組のＬＥＤ１１２を備える。ドライバは、第１、第２の画像に従ってそれぞれ第１、２の組のＬＥＤを駆動する。ディスプレイは、第１の直線偏光状態、及び第１の直線偏光状態に垂直な第２の直線偏光状態に従って第１、第２の組のＬＥＤからの光をそれぞれ偏光するように構成された第１および第２の領域を備えるモノリシック・ワイヤグリッド偏光子１２０をアレイの前面に備える。第１、第２の領域は、第１、第２の組のＬＥＤとそれぞれ位置合わせされる。１／４波長の位相差板１３０は、第１、第２の直線偏光状態をそれぞれの円偏光状態に変換するためワイヤグリッド偏光子の前面に設置されている。【選択図】図２
2020021066.tif 000002
【特許請求の範囲】
【請求項１】
発光ダイオード（ＬＥＤ）ディスプレイであって、
グリッドパターンの、第１の組のＬＥＤ、および前記第１の組のＬＥＤと交互になった第２の組のＬＥＤを備えるＬＥＤアレイと、
第１の画像に従って前記第１の組のＬＥＤを駆動し、第２の画像に従って前記第２の組のＬＥＤを駆動するように構成されたドライバと、
前記ＬＥＤアレイの前面に設置されたモノリシック・ワイヤグリッド偏光子であって、前記モノリシック・ワイヤグリッド偏光子は、第１の直線偏光状態に従って前記第１の組のＬＥＤからの光を偏光するよう構成された第１の領域、および前記第１の直線偏光状態に垂直な第２の直線偏光状態に従って前記第２の組のＬＥＤからの光を偏光するよう構成された第２の領域を備え、前記第１の領域は前記第１の組のＬＥＤと位置合わせされ、前記第２の領域は前記第２の組のＬＥＤと位置合わせされた、モノリシック・ワイヤグリッド偏光子と、
前記第１の直線偏光状態および前記第２の直線偏光状態をそれぞれの円偏光状態に変換するための、前記モノリシック・ワイヤグリッド偏光子の前面に設置された１／４波長の位相差板と、
を備える、ＬＥＤディスプレイ。
【請求項２】
前記モノリシック・ワイヤグリッド偏光子はプラスチック基板を備える、請求項１に記載のＬＥＤディスプレイ。
【請求項３】
前記モノリシック・ワイヤグリッド偏光子はガラス基板を備える、請求項１に記載のＬＥＤディスプレイ。
【請求項４】
前記第１の画像および前記第２の画像は一緒になって三次元画像を形成する、請求項１に記載のＬＥＤディスプレイ。
【請求項５】
前記第１の組のＬＥＤおよび前記第２の組のＬＥＤのそれぞれの組のＬＥＤの各々は、前記第１の画像および前記第２の画像のそれぞれの画素を表す、請求項１に記載のＬＥＤディスプレイ。
【請求項６】
前記ＬＥＤアレイと前記モノリシック・ワイヤグリッド偏光子の間にディフューザをさらに備え、前記ディフューザは、前記第１の組のＬＥＤおよび前記第２の組のＬＥＤの各々からの光を前記モノリシック・ワイヤグリッド偏光子の前記第１の領域および前記第２の領域のそれぞれの区域と実質的に類似の区域へと拡散するよう構成された、請求項５に記載のＬＥＤディスプレイ。
【請求項７】
発光ダイオードからの光に対し実質的に透明な単一のモノリシック基板と、
第１の直線偏光状態に従って前記光を偏光するように構成された前記単一のモノリシック基板上の複数の第１の領域と、
前記第１の直線偏光状態に垂直な第２の直線偏光状態に従って前記光を偏光するよう構成された前記単一のモノリシック基板上の複数の第２の領域とを備え、前記複数の第１の領域は、前記単一のモノリシック基板においてグリッドパターンで前記複数の第２の領域と交互になった、ワイヤグリッド偏光子。
【請求項８】
前記単一のモノリシック基板はプラスチック基板を備える、請求項７に記載のワイヤグリッド偏光子。
【請求項９】
前記単一のモノリシック基板はガラス基板を備える、請求項７に記載のワイヤグリッド偏光子。
【発明の詳細な説明】
【技術分野】
【０００１】
本明細書は、一般に発光ダイオードディスプレイに関し、詳細には、三次元画像を生成するためのモノリシック・ワイヤグリッド偏光子（a monolithic wire-grid polarizer）を有する発光ダイオードディスプレイに関する。
【背景技術】
【０００２】
発光ダイオードディスプレイは、発光ディスプレイの前面にポリマーフィルムの偏光子を適用することによって、例えば、吸収型直線偏光子（absorbing linear polarizer）の細片（strip）を使用して、三次元画像を生成するよう適合され得るが、このようなポリマーフィルムの偏光子は、画素幅の細片に切断され、水平、垂直、または斜めに画素が位置合わせされて（pixel-aligned）いなければならず、これは、正確に成し遂げるには困難で費用のかかる工程であり、適用され得るフィルファクターを向上する画素拡散（fill-factor-enhancing pixel diffusion）の量を著しく制限する。
【発明の概要】
【０００３】
本明細書で説明される様々な実施形態のよりよい理解のために、また、それらがどのように実施され得るのかをより明確に示すために、ここで例としてのみ、次の添付の図面への参照が行われる。
【図面の簡単な説明】
【０００４】
【図１】従来技術に従った、例としての発光ダイオードディスプレイの側面概略図である。
【図２】非限定的な例に従った、三次元画像を生成するためのモノリシック・ワイヤグリッド偏光子を有する発光ダイオードディスプレイの側面概略図である。
【図３】非限定的な例に従った、図１の発光ダイオードディスプレイに使用されるモノリシック・ワイヤグリッド偏光子を図示する図である。
【図４】非限定的な例に従った、作動中の図１の発光ダイオードディスプレイを図示する図である。
【図５】非限定的な例に従った、モノリシック・ワイヤグリッド偏光子の領域に対する画素の大きさと、各画素によって生成される円偏光された光とを示す、図１の発光ダイオードディスプレイを図示する概略正面図である。
【発明を実施するための形態】
【０００５】
本明細書の態様は、発光ダイオード（ＬＥＤ）ディスプレイを提供し、このＬＥＤディスプレイは、グリッドパターンの、第１の組のＬＥＤ、および第１の組のＬＥＤと交互になった（alternating with）第２の組のＬＥＤを備えるＬＥＤアレイと、第１の画像に従って第１の組のＬＥＤを駆動し、第２の画像に従って第２の組のＬＥＤを駆動するように構成されたドライバと、ＬＥＤアレイの前面に設置されたモノリシック・ワイヤグリッド偏光子であって、モノリシック・ワイヤグリッド偏光子は、第１の直線偏光状態（linear polarization state）に従って第１の組のＬＥＤからの光を偏光するよう構成された第１の領域、および第１の直線偏光状態に垂直な第２の直線偏光状態に従って第２の組のＬＥＤからの光を偏光するよう構成された第２の領域を備え、第１の領域は第１の組のＬＥＤと位置合わせされ（aligned with）、第２の領域は第２の組のＬＥＤと位置合わせされた、モノリシック・ワイヤグリッド偏光子と、第１の直線偏光状態および第２の直線偏光状態をそれぞれの円偏光状態（circular polarization states）に変換するための、モノリシック・ワイヤグリッド偏光子の前面に設置された１／４波長の位相差板（retarder）とを備える。
【０００６】
本明細書の別の態様は、発光ダイオードからの光に対し実質的に透明な単一のモノリシック基板と、第１の直線偏光状態に従って光を偏光するように構成された単一のモノリシック基板上の複数の第１の領域と、第１の直線偏光状態に垂直な第２の直線偏光状態に従って光を偏光するよう構成された単一のモノリシック基板上の複数の第２の領域とを備え、複数の第１の領域は、単一のモノリシック基板においてグリッドパターンで複数の第２の領域と交互になった、ワイヤグリッド偏光子を提供する。
【０００７】
最初に図１に注意が向けられるが、図１は、三次元画像を示すために適合された、従来技術に従った発光ダイオード（ＬＥＤ）ディスプレイ５０の例を図示する。一般に、ＬＥＤディスプレイ５０は、交互になったＬＥＤが左目用画像および右目用画像を表示する、グリッド状に配置されたＬＥＤアレイ６０を備える。交互になったＬＥＤからの光を偏光するために、ポリマーの偏光子材料の細片６１、６２は、ＬＥＤディスプレイ５０に斜めに適用され、細片６１は、関連するＬＥＤからの光を第１の方向に偏光し（例えば、反時計回りに円偏光され、および／または右目用画像「Ｒ」のために）、斜めで交互になった細片６２は、関連するＬＥＤからの光を第２の方向に偏光する（例えば、時計回りに円偏光され、および／または左目用画像「Ｌ」のために）。細片６１、６２は、斜めに適用されているので、フィルファクター（fill factor）は細片６１、６２の間の対角距離６３によって制限されて、画素の大きさが正方形６４などの寸法に制限されるが、ここで、角から角までの距離は細片６１、６２の間の対角距離６３である。正方形６４は、限定的な拡散プロパティを有するディフューザ（diffuser）を使用することで達成され得る。
【０００８】
この問題に対処するために、細片６１、６２は、正方形のポリマーで置換されてもよいが、正方形は、ＬＥＤディスプレイ５０に個々に取り付られるか、または一緒に接着される必要があり、これは、高価で時間を浪費し得る。代わりに、細片６１、６２は列状に（例えば、垂直または水平に）付けられてもよいが、この対処法では、ずれた右目用画像および左目用画像をもたらすことになる。
【０００９】
次に図２に注意が向けられるが、図２は、下記でより詳細に説明されるモノリシック・ワイヤグリッド偏光子を使用してこの問題に対処する発光ダイオード（ＬＥＤ）ディスプレイ１００の概略側面図を図示する。ＬＥＤディスプレイ１００は、グリッドパターンの、第１の組１１１のＬＥＤおよび第１の組１１１のＬＥＤと交互になった第２の組１１２のＬＥＤを備えるＬＥＤアレイ１０１（例えば、図４を参照のこと）と、第１の画像に従って第１の組１１１のＬＥＤを駆動し、第２の画像に従って第２の組１１２のＬＥＤを駆動するように構成され、第１の組１１１のＬＥＤおよび第２の組１１２のＬＥＤにそれぞれ接続された（各々が無線および／または有線接続を含んでもよいそれぞれの通信リンク１１７、１１８を使用して）ドライバ１１５と、ＬＥＤアレイ１０１の前面に設置されたモノリシック・ワイヤグリッド偏光子１２０であって、モノリシック・ワイヤグリッド偏光子１２０は、第１の直線偏光状態に従って第１の組１１１のＬＥＤからの光を偏光するよう構成された第１の領域１２１、および第１の直線偏光状態に垂直な第２の直線偏光状態に従って第２の組１１２のＬＥＤからの光を偏光するよう構成された第２の領域１２２を備え、第１の領域１２１は第１の組１１１のＬＥＤと位置合わせされ、第２の領域１２２は第２の組１１２のＬＥＤと位置合わせされている、モノリシック・ワイヤグリッド偏光子１２０と、第１の直線偏光状態および第２の直線偏光状態をそれぞれの円偏光状態に変換するための、モノリシック・ワイヤグリッド偏光子１２０の前面に設置された１／４波長の位相差板１３０とを備える。
【００１０】
図示されるとおり、ＬＥＤディスプレイ１００は、ＬＥＤアレイ１０１とモノリシック・ワイヤグリッド偏光子１２０の間に、第１の組１１１のＬＥＤおよび第２の組１１２のＬＥＤの各々からの光をモノリシック・ワイヤグリッド偏光子１２０の第１の領域１２１および第２の領域１２２のそれぞれの区域と実質的に類似の区域へと拡散するように構成されたディフューザ１４０をさらに備える。しかしながら、ディフューザ１４０は、任意選択であり、および／またはモノリシック・ワイヤグリッド偏光子１２０の基板が、光を拡散するように適合されてもよい。
【００１１】
ＬＥＤディスプレイ１００は、図示された側に４画素（例えば、ＬＥＤの組１１１、１１２ごとに１画素）で側面図に図示されているが、ＬＥＤディスプレイ１００は、モノリシック・ワイヤグリッド偏光子１２０の領域１２１、１２２が交互にアレイ１０１の画素と位置合わせされた、いかなる数の画素も備え得る。さらに言えば、下記のとおり、例のアレイ１０１は、１６個の組１１１、１１２のＬＥＤ（例えば、アレイ１０１は、１辺に４つの画素および／もしくは組１１１、１１２のＬＥＤ、ならびに／または右目用画像に８つの組１１１のＬＥＤおよび左目用画像に８つの組１１２のＬＥＤを有する正方形のＬＥＤアレイを備える）を含む。しかしながら、アレイ１０１は、数百から数千、数百万の画素および／またはＬＥＤの組１１１、１１２を備え得る。
【００１２】
さらに、アレイ１０１、ディフューザ１４０、モノリシック・ワイヤグリッド偏光子１２０および１／４波長の位相差版１３０は、明確にするためにお互いに離れて図示されているが、当業者であれば、アレイ１０１、ディフューザ１４０、モノリシック・ワイヤグリッド偏光子１２０および１／４波長の位相差版１３０は、例えば光学接着剤などを使用して、互いに適用されていてもよいことが理解されよう。
【００１３】
各々の組１１１、１１２のＬＥＤは、サブモジュールの上に配置されたそれぞれ赤、緑、青のＬＥＤの組を備えてもよく、これらは、ＬＥＤのモジュールを形成するように配置および／または適合されてもよい。しかしながら、いかなるタイプのＬＥＤおよび／または色のＬＥＤも本明細書の範囲内にある。
【００１４】
ドライバ１１５は、一般に、三次元画像（そのためのデータ・ファイルは、メモリ（図示せず）に保存ならびに／または画像ジェネレータおよび／もしくはコンテンツ・ジェネレータ（図示せず）によって生成され得る）を形成するために組１１１、１１２のＬＥＤを駆動するように構成された、１つまたは複数のハードウエア・プロセッサ、マイクロプロセッサなどを含むがこれらに限定されない、ハードウェア・ドライバ１１５を備える。
【００１５】
第１の組１１１のＬＥＤおよび第２の組１１２のＬＥＤにおけるそれぞれの組のＬＥＤの各々は、第１の画像および第２の画像のそれぞれの画素を表し、一緒になって三次元画像を形成する。例えば、第１の組１１１のＬＥＤは、第１の組１１１のＬＥＤからの光がＬＥＤディスプレイ１００を出る際、第１の方向に偏光されて（例えば、反時計回りに円偏光されて）、三次元画像の第１の画像および／または右目用画像を形成し得、類似的に、第２の組１１２のＬＥＤは、第２の組１１２のＬＥＤからの光がＬＥＤディスプレイ１００を出る際、第２の方向に偏光されて（例えば、時計回りに円偏光されて）、三次元画像の第２の画像および／または左目用画像を形成し得る。各様に円偏光するレンズを有する眼鏡を通してＬＥＤディスプレイ１００からの光を見る観視者は、この眼鏡のレンズが右目用および左目用の画像のそれぞれの円偏光された光を伝送するよう適合されていると仮定すると、三次元画像を見るために右目用の画像を右目で見、左目用の画像を左目で見る。このような偏光は以下でさらに詳細に説明される。
【００１６】
ディフューザ１４０は、任意選択であるが、ディフューザ１４０は、一般に、組１１１、１１２のＬＥＤからの光をモノリシック・ワイヤグリッド偏光子１２０の領域１２１、１２２の区域と類似の区域に拡散する。さらに言えば、下記のとおり、モノリシック・ワイヤグリッド偏光子１２０は１つの基板上にプリントされており、図１で図示される従来技術のＬＥＤディスプレイで一般に生じるような細片のＬＥＤディスプレイ１００に適用されているのではないので、ディフューザ１４０は、組１１１、１１２のＬＥＤによって形成される画素のフィルファクターを増加させるために使用され得る。
【００１７】
さらに言えば、次に図３に注意が向けられるが、図３は、発光ダイオード（例えば組１１１、１１２のＬＥＤ）からの光に対し実質的に透明な単一のモノリシック基板２０１と、第１の直線偏光状態に従って光を偏光するよう構成された単一のモノリシック基板２０１上の複数の第１の領域１２１と、第１の直線偏光状態に垂直な第２の直線偏光状態に従って光を偏光するよう構成された単一のモノリシック基板２０１上の複数の第２の領域１２２とを備え、複数の第１の領域１２１は、単一のモノリシック基板２０１においてグリッドパターンで複数の第２の領域１２２と交互になっている、モノリシック・ワイヤグリッド偏光子１２０の斜視図を図示する。
【００１８】
モノリシック・ワイヤグリッド偏光子１２０および／または単一のモノリシック基板２０１は、プラスチック基板を備える、または、モノリシック・ワイヤグリッド偏光子１２０および／または単一のモノリシック基板２０１は、ガラス基板を備える。いずれにせよ、単一のモノリシック基板２０１は、アレイ１０１と類似の寸法（例えば、厚さ以外の、大きさおよび形状）のガラスまたはプラスチックの単一の部材を備える。
【００１９】
一般に、モノリシック・ワイヤグリッド偏光子１２０は、単一のモノリシック基板２０１上の領域１２１、１２２をプリントすることによって製造され得る。具体的には、ワイヤグリッド偏光子は、一般に、ガラスまたはプラスチック（例えば、単一のモノリシック基板２０１）の上にリソグラフィ工程を用いてプリントされた、非常に細いアルミニウムおよび／または金属の電線（例えば、約１００ｎｍから２００ｎｍの範囲の）で作られている。
【００２０】
図示されているとおり、領域１２１は、水平に直線偏光されており（例えば、図３の面において）、領域１２２は、垂直に直線偏光されている（例えば、図３の面において）。しかしながら、領域１２１、１２２は、領域１２１、１２２のそれぞれの直線偏光が、互いに垂直および／または直交である限り、いかなる方向にも直線偏光されてもよい。
【００２１】
ＬＥＤディスプレイ１００を構築するためには、ディフューザ１４０は、組１１１、１１２のＬＥＤのアレイ１０１に適用され、次に、モノリシック・ワイヤグリッド偏光子１２０は、領域１２１、１２２をそれぞれ組１１１、１１２のＬＥＤに位置合わせして、例えば、領域１２１、１２２のそれぞれの中心を組１１１、１１２のＬＥＤの中心に位置合わせして、ディフューザ１４０に適用される。１／４波長の位相差板１３０は、モノリシック・ワイヤグリッド偏光子１２０に適用される。アレイ１０１、ディフューザ１４０、モノリシック・ワイヤグリッド偏光子１２０および１／４波長の位相差版１３０は、光学接着剤などを使用して互いに適用されてもよい。１／４波長の位相差版１３０は、一般に領域１２１、１２２からの直線偏光された光を円偏光された光に変換する。
【００２２】
次に、図４に注意が向けられるが、図４は、同様な要素が同様な番号を有する図１と実質的に類似する。しかしながら、１つの組１１２のＬＥＤからの光の進路が図示される。具体的には、光４０１は組１１２のＬＥＤから放射され、この光はディフューザ１４０によってモノリシック・ワイヤグリッド偏光子１２０のそれぞれの領域１２２の区域と類似の区域へ拡散４０３され、このモノリシック・ワイヤグリッド偏光子１２０は、光を直線偏光４０５し、領域１２２からの直線偏光された光は、１／４波長の位相差版１３０によって時計回りに円偏光４０７される。ただ１つの、組１１２のＬＥＤからの光４０１が図示されているが、各々の組１１１、１１２のＬＥＤからの光は類似の進路をたどり、最終的な円偏光状態は、モノリシック・ワイヤグリッド偏光子１２０の領域１２１、１２２のそれぞれの偏光によって決定され、その結果、交互になった組１１１、１１２のＬＥＤが円偏光状態の交互になった画素をもたらすということが理解される。例えば、図示されているとおり、第１の組１１１のＬＥＤからの光は、反時計回りに円偏光４０９され、第２の組１１２のＬＥＤからの光は、時計回りに円偏光４０７される。
【００２３】
次に図５に注意が向けられるが、図５は、組１１１、１１２のＬＥＤおよび領域１２１、１２２のそれぞれの偏光状態４０７、４０９との関係で図示されたモノリシック・ワイヤグリッド偏光子１２０の領域１２１、１２２を有する、ＬＥＤディスプレイ１００の正面図を図示する。また、モノリシック・ワイヤグリッド偏光子１２０の使用により、各々の領域１２１、１２２のそれぞれの形状を組１１１、１１２のＬＥＤのそれぞれの形状と一致させることができるので、従来技術のＬＥＤディスプレイ５０の正方形６４よりも全体的により大きい、ＬＥＤディスプレイ１００のフィルファクターを示す正方形５０１も図示されている。例えば、正方形５０１は、ディフューザ１４０のプロパティに応じて各々の領域１２１、１２２の大きさの９５％までであり得る。
【００２４】
言い換えれば、それぞれの領域１２１、１２２は、組１１１、１１２のＬＥＤのそれぞれの形状と一致するようにリソグラフィを使用してモノリシック基板２０１上に生成されてもよい。したがって、各々の細片６１、６２はＬＥＤと、およびお互いと位置合わせされなければならないが、モノリシック・ワイヤグリッド偏光子１２０は、細片６１、６２を使用するよりもよりよい位置精度で組１１１、１１２のＬＥＤと位置合わせされ得、またモノリシック・ワイヤグリッド偏光子１２０の使用により、細片６１、６２の使用と比較して、より安価な工程および／またはより低い欠陥率をもたらし得る。
【００２５】
さらに、正方形の画素（例えば、正方形５０１）が図示されているが、ＬＥＤディスプレイ１００の画素は、領域１２１、１２２のそれぞれの形状を有する組１１１、１１２のＬＥＤの形状の組み合わせによって定められる、矩形、円形、多角形などを含むがこれらに限定されない、いかなる形状でもよい。
【００２６】
ＬＥＤディスプレイ１００は、１６画素（例えば左目用に８画素、右目用に８画素を有する）のアレイ１０１として図示されているが、ＬＥＤディスプレイ１００は、適宜モノリシック・ワイヤグリッド偏光子１２０が適合された、組１１１、１１２のＬＥＤの数に従ったどのような数の画素でもよい。
【００２７】
したがって、本明細書において、従来技術のＬＥＤディスプレイよりも簡素で安価であり得、モノリシック・ワイヤグリッド偏光子を組み込んでおり、画素のフィルファクター向上をもたらし得る、三次元画像を生成するためのＬＥＤディスプレイが提供される。
【００２８】
本明細書において、要素は、１つまたは複数の機能を実行する「ために構成される」またはこのような機能「のために構成される」と説明され得る。一般に、ある機能を実行するように構成されたまたは実行のために構成された要素は、その機能を実行することが可能になっている、または、その機能の実行に適している、または、その機能を実行するように適合されている、または、その機能を実行するように動作可能である、または他に、その機能を実行することができる。
【００２９】
本明細書の目的のために、言い回し「Ｘ、Ｙ、Ｚのうち少なくとも１つ」および「Ｘ、Ｙ、Ｚのうちの１つまたは複数」は、Ｘのみ、Ｙのみ、Ｚのみ、またはＸ、Ｙ、Ｚの２つ以上の項目のどのような組み合わせ（例えば、ＸＹＺ、ＸＹ、ＹＺ、ＸＺなど）としても解釈され得るということが理解される。類似の論法が、「少なくとも１つの〜（ａｔ  ｌｅａｓｔ  ｏｎｅ．．．）」および「１つまたは複数の〜（ｏｎｅ  ｏｒ  ｍｏｒｅ．．．）」という言い回しの任意の出現に際し、２つ以上の項目に適用され得る。
【００３０】
「約（ａｂｏｕｔ）」、「実質的には（ｓｕｂｓｔａｎｔｉａｌｌｙ）」、「基本的には（ｅｓｓｅｎｔｉａｌｌｙ）」、「およそ（ａｐｐｒｏｘｉｍａｔｅｌｙ）」などの用語は、当業者によって理解されるように、例えば、「に近い（ｃｌｏｓｅ  ｔｏ）」と定義される。いくつかの実施形態において、用語は、「１０％以内」、他の実施形態において「５％以内」、さらに他の実施形態において「１％以内」、さらに他の実施形態において「０．５％以内」と理解される。
【００３１】
当業者であれば、いくつかの実施形態において、本明細書で説明されるデバイスおよび／または方法および／または工程の機能は、予めプログラムされたハードウエア要素またはファームウエア要素（例えば、特定用途向け集積回路（ＡＳＩＣ）、電気的に消去可能なプログラマブル読み取り専用メモリ（ＥＥＰＲＯＭ）など）または他の関連するコンポーネントを使用して実施され得ると理解するであろう。他の実施形態において、本明細書で説明されるデバイスおよび／または方法および／または工程の機能は、計算装置の演算のためのコンピュータ可読プログラムのコードを保存するコードメモリ（図示せず）へのアクセスを有する計算装置を用いて達成され得る。コンピュータ可読プログラムコードは、固定であり、タンジブルで、これらのコンポーネントによって直接読み取り可能な、コンピュータ可読記憶媒体（例えば、リムーバブルのディスケット、ＣＤ−ＲＯＭ、ＲＯＭ、固定ディスク、ＵＳＢドライブなど）に保存され得る。さらに、コンピュータ可読プログラムは、コンピュータ使用可能媒体を備えるコンピュータプログラム製品として保存され得ることが理解される。さらに、永続的記憶デバイスは、コンピュータ可読プログラムコードを備えることができる。その上さらに、コンピュータ可読プログラムコードおよび／またはコンピュータ使用可能媒体は、非一時的コンピュータ可読プログラムコードおよび／または非一時的コンピュータ使用可能媒体を備え得ることが理解される。あるいは、コンピュータ可読プログラムコードは、遠隔で保存され得るが、ネットワーク（インターネットを含むが、これに限定されない）に接続されたモデムまたは他のインターフェース・デバイス経由で伝送媒体を介してこれらのコンポーネントに伝送可能であり得る。伝送媒体は、非移動媒体（例えば、光および／またはデジタルおよび／またはアナログの通信回線）または、移動媒体（例えば、マイクロ波、赤外線、自由空間光または他の伝送方式）またはこれらの組み合わせのいずれかであり得る。
【００３２】
当業者であれば、さらに多くの代替的な実施形態および修正が可能であること、上記の例は１つまたは複数の実施形態の単なる例示であることが理解されよう。したがって、範囲は、本明細書に添付の特許請求の範囲によってのみ限定されるべきである。
【図１】
2020021066.tif 000003
【図２】
2020021066.tif 000004
【図３】
2020021066.tif 000005
【図４】
2020021066.tif 000006
【図５】
2020021066.tif 000007
【外国語明細書】
2020021066000001.pdf